(57)【要約】【課題】鑑賞者に立体感や遠近感を感じさせることができる、芸術性の高い装飾物を提供する。【解決手段】原画５を描写した伸長可能な布２と、原画５の一部を描写した透明基板３と、布２と透明基板３とを所定の間隔を隔てて重ね合わせて固定する枠４とを備え、布２は引き伸ばされて枠４に固定されている。【選択図】図１
2012051295.tif 000002
【特許請求の範囲】
【請求項１】
原画を描写した伸長可能な布と、
前記原画の一部を描写した透明基板と、
前記布と前記透明基板とを所定の間隔を隔てて重ね合わせて固定する枠と
を備え、
前記布は引き伸ばされて前記枠に固定されていることを特徴とする装飾物。
【請求項２】
前記布は、この布の一点を基点として、周囲に略均等に引き伸ばされて前記枠に固定されていることを特徴とする請求項１に記載の装飾物。
【請求項３】
前記原画の絵柄のうち前記布の基点の周囲に描写されている絵柄が、選択的に前記透明基板に描写されていることを特徴とする請求項２に記載の装飾物。
【請求項４】
前記布の基点は、前記原画の焦点位置が描写されている位置であることを特徴とする請求項２又は３に記載の装飾物。
【請求項５】
前記布が染色技術により前記原画を描写した織物であり、前記透明基板が印刷技術により前記原画の一部が描写されたガラス板であることを特徴とする請求項１乃至４のいずれか一項に記載の装飾物。
【発明の詳細な説明】
【技術分野】
【０００１】
本発明は、壁掛けや、机・棚に置く置物等として使用される装飾物に関するものである。
【背景技術】
【０００２】
従来、装飾物として、下記特許文献１のように、絵画の前方に透明基板を配し、この透明基板の前面に両面テープで形象体を貼り付けたものが知られている。この特許文献１の装飾物は、透明基板に貼り付けた形象体と、この透明基板において形象体を貼り付けていない部分から見える絵画との組み合わせにより、芸術性を高めている。
【先行技術文献】
【特許文献】
【０００３】
【特許文献１】特開平９−３２３５００号公報
【発明の概要】
【発明が解決しようとする課題】
【０００４】
しかしながら、上記特許文献１の装飾物は、鑑賞者に立体感や遠近感を感じさせることができるものではないため、芸術性を高める余地が残されたものであった。
【０００５】
そこで、本願発明は、上記のような問題を解決するためになされたものであり、その目的とするところは、鑑賞者に立体感や遠近感を感じさせることができる、芸術性の高い装飾物を提供することにある。
【課題を解決するための手段】
【０００６】
上記課題を解決するために、本発明の装飾物は、原画を描写した伸長可能な布と、前記原画の一部を描写した透明基板と、前記布と前記透明基板とを所定の間隔を隔てて重ね合わせて固定する枠とを備え、前記布は引き伸ばされて前記枠に固定されていることを特徴とする。
【０００７】
上記の構成によれば、布に描写された絵全体は、布が引き伸ばされることにより寸法が大きくされる。従って、布に描写された絵柄のうちの透明基板にも描写されている絵柄と、透明基板に描写された絵柄を布に投影してなる投影絵柄とは微少にずれることになる。その結果、この絵柄同士の微小なズレと、布と透明基板との間の間隔（空間）により、鑑賞者に立体感や遠近感を感じさせることができるため、芸術性の高い装飾物とすることができる。
【０００８】
また、本発明の装飾物において、前記布は、この布の一点を基点として、周囲に略均等に引き伸ばされて前記枠に固定されていてもよい。上記の構成によれば、布の基点からの距離が遠くなるに従い、布に描写された絵柄のうちの透明基板にも描写されている絵柄と、透明基板に描写された絵柄を布に投影してなる投影絵柄との間のずれが大きくなる。その結果、この布の基点に描写された絵柄を中心とした奥行き感を、鑑賞者に感じさせることができる。
【０００９】
また、本発明の装飾物において、前記原画の絵柄のうち前記布の基点の周囲に描写されている絵柄が、選択的に前記透明基板に描写されていてもよい。上記の構成によれば、この布の基点に描写された絵柄を中心とした奥行き感を、鑑賞者により一層感じさせることができる。
【００１０】
また、本発明の装飾物において、前記布の基点は、前記原画の焦点位置が描写されている位置であってもよい。上記の構成によれば、布に描写された原画の絵の焦点と、布を引き伸ばす基点とが同じであるため、原画の焦点位置が描写された位置を中心とした奥行き感を、鑑賞者に感じさせることができる。
【００１１】
また、本発明の装飾物において、前記布が染色技術により前記原画を描写した織物であり、前記透明基板が印刷技術により前記原画の一部が描写されたガラス板であってもよい。
【発明の効果】
【００１２】
鑑賞者に立体感や遠近感を感じさせることができる、芸術性の高い装飾物を提供することができる。
【図面の簡単な説明】
【００１３】
【図１】本発明の実施形態に係る装飾物の正面図である。
【図２】図1のＡ−Ａ断面図である。
【図３】本発明の実施形態に係る装飾物の製造工程の一部を説明する説明図である。
【発明を実施するための形態】
【００１４】
次に、本発明の実施形態について図面を参照して説明する。
【００１５】
（装飾物）
図１、及び図２に示すように、本実施形態の装飾物１は、伸長可能な布２と、透明基板３と、布２と透明基板３とを所定の間隔を隔てて重ね合わせて固定する枠４とを備えている。
【００１６】
（布）
布２は、伸長可能な織物（例えば絹布）であり、元の寸法の０．１％〜１０％伸長することができる。この織物は、平織、綾織、朱子織等に製織されたものである。また、布２は、図３に示すように、引き伸ばされる前の状態時に、公知の染布技術により原画５の絵全体が染色（描写）されている。
【００１７】
布２は、原画５の焦点位置が描写されている位置を基点として、周囲に略均等に、０．１％〜１０％の伸長度で引き伸ばされて枠４に固定されている。これにより、布２に描写された絵全体は、布２が引き伸ばされることにより寸法が大きくされている。ここで、原画５の焦点位置とは、原画５における主題となる絵柄（例えば、人物画なら人物）が描写された位置、又は原画における消失点（無限遠点）が描写された位置のことである。なお、原画５における主題となる絵柄が描写された位置を焦点位置とする場合は、図３に示すように、この主題となる絵柄中の任意の一点が焦点位置とされる。
【００１８】
（透明基板）
透明基板３は、ガラスや、アクリル、ＰＣ（ポリカーネート）、ＰＥＴ（ポリエチレンテレフタレート）等の透明樹脂からなる四辺形の透明板である。また、透明基板３の裏面には、図３に示すように、原画５の一部が描写されている。具体的には、透明基板３には、原画５の絵柄のうち、布２の基点の周囲に描写されている絵柄（原画５の絵柄のうち、焦点位置の周囲にある絵柄）が選択的に描写されている。例えば、布２の基点の周囲に描写されている、建物等の静物の絵柄のみが選択されて透明基板３に描写されている。
【００１９】
透明基板３への原画５の一部の描写は、公知の印刷技術（例えば、スクリーン印刷技術）や公知のスプレー塗装技術により行われる。なお、透明基板３に描写される絵柄は、布２に描写されている絵柄と同じ色で印刷（塗装）されていてもよいし、立体感や遠近感をより表出可能な、布２に描写されている絵柄とは異なる色で印刷（塗装）されていてもよい。また、この透明基板３に、原画５の描写とは別に、透明着色、フロスト調、隠蔽（ぼかし）等の加工を行ってもよい。
【００２０】
また、透明基板３の裏面への描写は、原画５の絵全体を左右反転させた状態で行われる。その理由は、透明基板３を枠４に固定した際に、原画５の構図と同じ、正しい状態で表示をするためである。
【００２１】
透明基板３に描写される絵柄の寸法は、布２に描写された絵柄の寸法と同じにされている。つまり、布２が引き伸ばされる前の状態時に、この布２に透明基板３を重ね合わせると、それぞれに描写された絵柄同士は、ずれずに重なり合わすことができる。
【００２２】
透明基板３は、布２の前方位置において、この布２から所定の間隔（空間）を隔てて重なり合うように枠４により固定されている。上記したように、布２は引き伸ばされて枠４に固定されているため、布２に描写された絵柄のうちの透明基板３にも描写されている絵柄と、透明基板３に描写された絵柄を布２に投影してなる投影絵柄とは、図３に示すように微少にずれることになる。その結果、この絵柄同士の微小なズレと、布２と透明基板３との間の空間（間隔）により、鑑賞者に立体感や遠近感を感じさせることができる。
【００２３】
また、上記したように、布２は、布２の一点を基点として、周囲に略均等に引き伸ばされて枠４に固定されている。これにより、布２の基点からの距離が遠くなるに従い、布２に描写された絵柄のうちの透明基板３にも描写されている絵柄と、透明基板３に描写された絵柄を布２に投影してなる投影絵柄との間のずれが大きくなる。その結果、この布２の基点に描写された絵柄を中心とした奥行き感を、鑑賞者に感じさせることができる。
【００２４】
また、原画５の絵柄のうち布２の基点の周囲に描写されている絵柄が、選択的に透明基板３に描写されているので、この布２の基点に描写された絵柄を中心とした奥行き感を、鑑賞者により一層感じさせることができる。
【００２５】
また、布２の基点は、上記したように、原画５の焦点位置が描写されている位置なので、原画５の焦点位置が描写された位置を中心とした奥行き感を、鑑賞者に感じさせることができる。具体的には、図３に示すように原画５において主題となる絵柄、又は原画５の消失点を中心とした奥行き感を、鑑賞者に感じさせることができる。
【００２６】
（枠）
枠４は、額縁外枠４１、マット４２、板紙４３、スチロール板４４、及び裏押さえ板４５から主に構成されている。
【００２７】
額縁外枠４１は、四辺形の窓枠状の枠体である。この額縁外枠４１の内周面には、透明基板３、マット４２、板紙４３、及びスチロール板４４のそれぞれの外周縁が嵌合されている。また、額縁外枠４１の前面には、内方向に突出する突条枠体４１ａが形成されており、この突条枠体４１ａは、透明基板３の前面の外周縁と当接されている。
【００２８】
マット４２は、中央部に開口部を有する四辺形の板状のスペーサであり、額縁外枠４１に嵌合されている。マット４２の後面には、布２が引き伸ばされた状態で粘着テープ等により固定されている。マット４２の開口部の大きさは、このマット４２に固定されている布２において描写されている絵全体を、鑑賞者が見ることが可能な大きさに設定されている。なお、額縁外枠４１に嵌合された透明基板３において描写された原画５の焦点位置を布２に投影してなる投影位置と、布２において描写された原画５の焦点位置とが重なり合うように、布２はマット４２に固定されている。これにより、布２に描写された絵柄のうちの透明基板３にも描写されている絵柄と、透明基板３に描写された絵柄を布２に投影してなる投影絵柄とを微少にずらすことができる。
【００２９】
また、マット４２の前面は透明基板３の後面と当接されており、このマット４２の厚さにより、布２と透明基板３とを所定の間隔で隔てられている。つまり、布２と透明基板３との間隔は、マット４２の厚さを調整することにより変更可能にされている。本実施形態においては、布２と透明基板３との間隔は、布２が透明基板３に密着しない間隔（０．０１ｍｍ）以上に設定されている。
【００３０】
板紙４３は、マット４２の後面と当接されて、額縁外枠４１に嵌合されている。この板紙４３は、マット４２に固定されている布２の布ゆれ・しわを防止するためのものである。
【００３１】
スチロール板４４は、板紙４３の後面と当接されて、額縁外枠４１に嵌合されている。このスチロール板４４は、板紙４３と裏押さえ板４５との間の隙間を埋めるためのものである。
【００３２】
また、裏押さえ板４５は、図示しない止め具により額縁外枠４１に固定されている。この裏押さえ板４５は、スチロール板４４を介して板紙４３を前方に向けて押圧するためのものである。
【００３３】
（装着物の製造方法）
次に、本発明の装着物における一実施形態の製造方法について説明する。
【００３４】
まず、図３に示すように、絹製の平織りの布２に染布技術により原画５の絵全体を染色（描写）する。本実施形態においては、友禅と呼ばれる染布技術により布２を染色した。
【００３５】
また、透明基板３の裏面に、原画５の焦点位置の周囲にある絵柄を選択的に、公知の印刷技術又は公知のスプレー塗装技術により印刷する。本実施形態においては、透明基板３として、板厚２ｍｍのフロートガラス板（ＦＬガラス板）を用い、スクリーン印刷機（ニューロング社製：ＬＳ−５６０）により、この透明基板３上にスクリーン印刷をした。また、印刷の塗料としては、アクリル樹脂、ウレタン樹脂、シランカップリング剤、光安定剤消泡剤、シリカ粉末、粉末顔料、溶剤が配合された、アクリルウレタン系塗料（三ツ星ベルト社製：ハイカラーＦ）を用いた。
【００３６】
このスクリーン印刷機による印刷が終了した後、透明基板３を連続式ベルト炉により１５０℃で３０分間の熱処理をする。
【００３７】
次に、図３に示すように、布２をマット４２の裏面において、原画５の焦点位置が描写されている位置を基点として、しわが残らないように周囲に略均等に０．１％〜１０％の伸長度で引き伸ばして張った後、粘着テープによりマット４２の裏面に固定する。なお、布２を引き伸ばす伸長度は、原画５の絵柄、透明基板３に描写された絵柄等を基に、適宜選択される。
【００３８】
次に、額縁外枠４１に、透明基板３、布２が固定されたマット４２、板紙４３、及びスチロール板４４を順に嵌合し、その後、裏押さえ板４５を止め具により額縁外枠４１に固定することで、布２と透明基板３とを所定の間隔を隔てて重ね合わせて固定する。
【００３９】
以上の工程を経ることにより、本実施形態の装飾物１を製造することができる。
【００４０】
以上、本発明の実施形態について図面に基づいて説明したが、具体的な構成は、これらの実施形態及び実施例に限定されるものでないと考えられるべきである。本発明の範囲は、上記した実施形態及び実施例の説明だけではなく特許請求の範囲によって示され、さらに特許請求の範囲と均等の意味および範囲内でのすべての変更が含まれる。
【符号の説明】
【００４１】
１  装飾物
２  布
３  透明基板
４  枠
５  原画
【図１】
2012051295.tif 000003
【図２】
2012051295.tif 000004
【図３】
2012051295.tif 000005